【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
ヒップポイント及び胴部線を有する設計マネキンを使用してシートアセンブリのシートバックの中心線を設計する方法であって、
前記胴部線に沿って前記ヒップポイントより上に腰部頂点基準点を定めるステップと、
前記胴部線の後方で間隔をおいて配置された腰部形状基準円を定めるステップと、
前記胴部線に平行で且つ前記腰部形状基準円の接線方向に前方腰部隆起線を生成するステップと、
前記前方腰部隆起線に平行で後方に間隔をおいて配置された後方腰部隆起線を生成するステップと、
前記前方及び後方腰部隆起線並びに前記腰部形状基準円を組み込んだシートバックの中心線を形成するステップと、備えている、
ことを特徴とする方法。
【請求項２】
前記腰部頂点基準点から前記胴部線に垂直で且つ離れた点まで後方に延びる後方腰部頂点基準線を生成するステップを更に備えている、
請求項１に記載の方法。
【請求項３】
前記後方腰部頂点基準線に沿って中心が配置された腰部形状基準円を生成するステップを備えている、
請求項２に記載の方法。
【請求項４】
前記前方腰部隆起線を生成するステップが、前記前方腰部隆起線を前記腰部形状基準円と接線方向に位置決めるステップを備えている、
請求項３に記載の方法。
【請求項５】
前記後方腰部隆起線を前記後方腰部頂点基準線に垂直に配向するステップを含み、前記後方腰部隆起線及び前記後方腰部頂点基準線が前記腰部形状基準円の内部にある内点で交差する、
請求項４に記載の方法。
【請求項６】
前記ヒップポイントの下に前記腰部形状基準円と交差するシートクッション輪郭を定めるステップを更に備えている、
請求項５に記載の方法。
【請求項７】
前記中心線を形成するステップが、前記シートクッション輪郭の近くの前記腰部形状基準円に沿って前記中心線を延長するステップを備えている、
請求項６に記載の方法。
【請求項８】
前記中心線を形成するステップが更に、前記腰部形状基準円と前記後方腰部隆起線との第１の交点により定められた第１の位置で前記腰部形状基準円及び前記後方腰部隆起線により前記中心線に影響及ぼすステップを備えている、
含む請求項７に記載の方法。
【請求項９】
前記中心線を形成するステップがまた、前記腰部形状基準円と前記シートクッションの輪郭との第２の交点により定められた第２の位置で前記腰部形状基準円及び前記シートクッションの輪郭により前記中心線に影響を及ぼすステップを備えている、
請求項８に記載の方法。
【請求項１０】
前記中心線を形成するステップが更に、前記腰部形状基準円から上方に間隔を置いて配置され配置された最終位置の中心線の終点まで前記後方腰部隆起線に実質的に沿って前記中心線を延長するステップを備えている、
請求項９に記載の方法。
【請求項１１】
ヒップポイント及び胴部線を有する設計マネキンを使用してシートバック面及び２つのサイドボルスタを有するシートアセンブリのシートバックを形成する方法であって、
前記胴部線に沿って前記ヒップポイントの上に腰部頂点基準点を定めるステップと、
前記胴部線に垂直で且つ前記腰部頂点基準点を含む、頂点部円半径を有する頂点部円を定めるステップと、
前記シートバック面の頂点部の中心部分を形成するために頂点部中心線を定めるステップと、
前記頂点部円と当接するように、輪郭断面を定める前記頂点部中心線を位置決めするステップと、
前記シートバック面の部分を形成するために、前記中心部分から間隔を置いて配置され且つ前記頂点部中心線の輪郭断面に等しい輪郭断面を有する外側頂点部輪郭線を定めるステップと、
前記頂点部中心線の両側に平行に外側頂点部輪郭線を位置決めし、前記頂点部中心線から等距離で前記頂点部円を交差させるステップと、備えている、
ことを特徴とする方法。
【請求項１２】
前記頂点部中心線の輪郭断面に等しい輪郭断面を有する内側頂点部輪郭線を定めるステップと、
前記内側頂点部輪郭線を前記頂点部中心線の両側に頂点部中心線に平行に前記頂点部円に沿って位置決めするステップと、
前記内側頂点部輪郭線を前記頂点部中心線と前記外側頂点部輪郭線との間に配置するステップと、
前記頂点部円の一部を組み込んだ頂点部水平輪郭を形成するステップと、
前記頂点部円の一部を前記頂点部輪郭線間に延びるように定めるステップと、を備えている、
請求項１１に記載の方法。
【請求項１３】
前記胴部線に垂直で且つ前記ヒップポイントを含み、前記頂点部円半径よりも大きな下部円半径を有する下部円を定めるステップと、
前記シートバック面の下部中心部分を形成するために下部中心線を定めるステップと、
下部輪郭断面を定める前記下部中心線を前記下部円と交差するように位置決めするステップを更に備えている、
請求項１２に記載の方法。
【請求項１４】
前記下部中心線の輪郭断面に等しい下部輪郭断面を有する前記シートバック面の部分を形成するために外側下部輪郭線を定めるステップと、
前記下部中心線の両側に外側下部輪郭線を位置決めし、前記下部中心線から等距離で前記下部円を交差させるステップと、
前記下部中心線の輪郭断面に等しい下部輪郭断面を有する内側下部輪郭線を定めるステップと、
前記下部中心線の両側に前記下部中心線に平行に前記下部円に沿って前記内側下部輪郭線を位置決めするステップと、
前記下部円の一部を組み込んだ下部水平輪郭を形成するステップと、
前記下部円の一部を前記下部輪郭線間に延びるように定めるステップを備えている、
請求項１３に記載の方法。
【請求項１５】
前記腰部頂点基準点の垂直方向上方に前記胴部線と垂直で且つ前記下部円の直径より大きい直径上円直径を有する上部円を定めるステップと、
前記シートバックの上部中心部分を形成するために上部中心線を定めるステップと、  上部輪郭断面を定める前記上部中心線を前記上部円と交差するように位置決めするステップと、
シートバック面の部分を形成するために、前記上部中心線の輪郭断面に等しい上部輪郭断面を有する外側上部輪郭線を定めるステップと、
前記上部の中心線輪郭断面に等しい上部輪郭断面を有する内側上部輪郭線を定めるステップと、
前記内側上部輪郭線を前記上部中心線の両側に前記上部中心線に平行に前記上部円に沿って位置決めするステップと、
前記上部円の一部を組み込んだ上部水平輪郭を形成するステップと、
前記上部円の前記部分を前記上部輪郭線間に延びるように定めるステップを備えている、
請求項１４に記載の方法。
【請求項１６】
前記下部水平輪郭と外側下部輪郭との第１の下部交点によって定められる第１の下部点を、前記頂点部水平輪郭と外側頂点部輪郭との第１の頂点部交点によって定められる第１の頂点部点につなぎ、
更に前記下部水平輪郭と前記下部中心線との第２の下部交点によって定められる第２の下部点を、前記頂点部水平輪郭と前記頂点部中心線との第２の頂点部交点によって定められる第２の頂点部点につなぎ、
更に前記下部水平輪郭と外側下部輪郭との第３の下部交点によって定められる第３の下部点を前記頂点部水平輪郭と外側頂点部輪郭との第３の頂点部交点によって定められる第３の頂点部点につないで、
全シートバック輪郭を定めるステップを備えている、
請求項１５に記載の方法。
【請求項１７】
前記第１の頂点部の点を前記上部水平輪郭と外側上部輪郭との第１の上部交点によって定められる第１の上部点につなぎ、
前記第２の頂点部の点を前記上部水平輪郭と前記上部の中心線との第２の上部交点によって定められる第２の上部点につなぎ、及び
前記第３の頂点部の点を前記上部水平輪郭と外側上部輪郭との第３の上部交点によって定められる第３の上部点につないで、
前記全シートバック輪郭を更に定めるステップを更に備えている、
請求項１６に記載の方法。
【請求項１８】
前記外側頂点部輪郭線と、前記外側下部輪郭線と、外側上部輪郭線とが、前記シートバック面の部分の幅を定める、
請求項１７に記載の方法。
【請求項１９】
前記頂点部と下部と上部の水平輪郭を組み込み、これにより前記シートバック面の一部の表面を定める全水平輪郭を形成するステップを備えている、
請求項１８に記載の方法。
【請求項２０】
前記外側頂点部輪郭線と前記頂点部水平輪郭との交点の間に延びる頂点部ボルスタ線を生成するステップと、
前記頂点部ボルスタ線に垂直で且つ前記頂点部水平輪郭を含む平面において前記外側頂点部輪郭線と前記頂点部水平輪郭との交点から前方に角度を成して延びる頂点部ボルスタ基準線を生成するステップと、
前記頂点部ボルスタ線に平行で且つ前方に間隔を置いて配置された第１の線を生成するステップと、
前記第１の線に平行で且つ前方に間隔を置いて配置された第２の線を生成するステップと、
前記頂点部ボルスタ線の一部を組み込んだ前記頂点部ボルスタ輪郭を形成するステップと、
前記頂点部ボルスタ基準線の前記一部を、前記頂点部ボルスタ基準線と前記第１の線との交点と、前記頂点部ボルスタ基準線と前記第２の線との交点との間に延びるように定めるステップを備えている、
請求項１９に記載の方法。
【請求項２１】
前記外側上部輪郭線と前記上部水平輪郭との交点間に延びる上部ボルスタ線を生成するステップと、
前記上部ボルスタ線に垂直で且つ前記上部水平輪郭を含む平面において前記外側上部輪郭線と前記上部水平輪郭との交点から前方に角度を成して延びる上部ボルスタ基準線を生成するステップと、
前記上部ボルスタ線に平行で且つ前方に間隔を置いて配置された第３の線を生成するステップと、
前記上部ボルスタ基準線の一部を組み込んだ前記上部ボルスタ輪郭を形成するステップと、
前記頂点部及び上部のボルスタ輪郭を組み入れることにより、２つの側部のボルスタの一部の表面を定める全ボルスタ輪郭を形成するステップを備えている、
請求項２０に記載の方法。